(57)【要約】【課題】切り替え機構が最小化された構成で光源からの光の光路を切り替えることが可能なプロジェクタ装置を提供する。【解決手段】画像光を形成するための光を出射する第１のランプ１０２および第２のランプ１０４と、第２のランプ１０４からの光が第１のランプ１０２からの光と同一の光路を辿るように、第２のランプ１０４からの光の光路を切り替える切り替え機構２００とを備え、切り替え機構２００は、矩形の形状を呈し、第２のランプ１０４からの光を反射するミラー２０２と、ミラー２０２を保持するミラー保持部材２０４と、回転中心がミラー２０２の表面における長手方向の一端２２０と等しくなるように、ミラー保持部材２０４に配設される回転軸２１６，２１８とを備えるプロジェクタ装置が提供される。【選択図】図５
2011154328.tif 000002
【特許請求の範囲】
【請求項１】
画像光を形成するための光を出射する第１の光源および第２の光源を含む複数の光源と、
前記第２の光源からの光が前記第１の光源からの光と同一の光路を辿るように、前記第２の光源からの光の光路を切り替える切り替え機構とを備え、
前記切り替え機構は、
矩形の形状を呈し、前記第２の光源からの光を反射するミラーと、
前記ミラーを保持するミラー保持部材と、
回転中心が前記ミラーの表面における長手方向の一端と等しくなるように、前記ミラー保持部材に配設される回転軸と、
を備える、プロジェクタ装置。
【請求項２】
前記ミラー保持部材は、前記ミラーの表面の全面において光を反射可能とするように形成される、請求項１に記載のプロジェクタ装置。
【請求項３】
前記ミラー保持部材は、前記ミラーの外周を一部を除いて囲うように配設され、
前記ミラー保持部材の長手方向における一端は、前記ミラーの表面における長手方向の一端を露出させるように形成される、請求項１に記載のプロジェクタ装置。
【請求項４】
前記回転軸は、その回転中心が前記ミラーの表面における長手方向の一端と等しくなるように、前記ミラー保持部材の長手方向における一端の角に配設される、請求項１に記載のプロジェクタ装置。
【請求項５】
前記第１の光源からの光の光路上に配設された、少なくとも１つの液晶パネルを備える、請求項１に記載のプロジェクタ装置。
【発明の詳細な説明】
【技術分野】
【０００１】
本発明は、プロジェクタ装置に関する。
【背景技術】
【０００２】
光源から出力された光を、例えば透過型の液晶パネルによって光変調して画像光を形成し、この画像光をスクリーン等に投射する液晶プロジェクタ装置が従来より知られている。この液晶プロジェクタ装置では、ＲＧＢ原色光に対応した液晶パネルによって光変調を行い、この光変調によって形成された各画像光を合成することによりカラー画像を出力することが可能となる。
【０００３】
また、従来より複数の光源を備えるプロジェクタ装置が提案されている。例えば、複数の光源を備えるプロジェクタ装置において、装置の消費電力の大きな割合を占める光源を、使用状況によって消費電力の低い光源に切り換えて、装置の省電力化を促進する技術が提案されている（例えば、特許文献１参照。）。
【先行技術文献】
【特許文献】
【０００４】
【特許文献１】特開２００３−２９３４１号公報
【発明の概要】
【発明が解決しようとする課題】
【０００５】
ところで、複数の光源を備えるプロジェクタ装置は、通常、光源からの光の光路を切り替える切り替え機構を備えている。例えば、切り替え機構は、ミラーと、上下貫通する穴が設けられて、その穴に回転軸とするための部材が組み込まれた、ミラーを保持するミラー保持部材と、回転駆動させるための駆動モータと、駆動モータの駆動力を伝達させるための駆動伝達機構とを有している。例えば、ミラー保持部材に回転軸とするための部材が組み込まれる場合、図９に示すように、ミラーおよびミラー保持部材が回転するために必要な空間が大きくなるため、切り替え機構の構成を最小化することができないという問題があった。
【０００６】
そこで、本発明は、上記問題に鑑みてなされたものであり、本発明の目的とするところは、切り替え機構が最小化された構成で光源からの光の光路を切り替えることが可能な、新規かつ改良されたプロジェクタ装置を提供することにある。
【課題を解決するための手段】
【０００７】
上記課題を解決するために、本発明のある観点によれば、画像光を形成するための光を出射する第１の光源および第２の光源を含む複数の光源と、前記第２の光源からの光が前記第１の光源からの光と同一の光路を辿るように、前記第２の光源からの光の光路を切り替える切り替え機構とを備え、前記切り替え機構は、矩形の形状を呈し、前記第２の光源からの光を反射するミラーと、前記ミラーを保持するミラー保持部材と、回転中心が前記ミラーの表面における長手方向の一端と等しくなるように、前記ミラー保持部材に配設される回転軸とを備えるプロジェクタ装置が提供される。
【０００８】
前記ミラー保持部材は、前記ミラーの表面の全面において光を反射可能とするように形成されてもよい。
【０００９】
前記ミラー保持部材は、前記ミラーの外周を一部を除いて囲うように配設され、前記ミラー保持部材の長手方向における一端は、前記ミラーの表面における長手方向の一端を露出させるように形成されてもよい。
【００１０】
前記回転軸は、その回転中心が前記ミラーの表面における長手方向の一端と等しくなるように、前記ミラー保持部材の長手方向における一端の角に配設されてもよい。
【００１１】
前記第１の光源からの光の光路上に配設された、少なくとも１つの液晶パネルを備えてもよい。
【発明の効果】
【００１２】
以上説明したように本発明によれば、切り替え機構が最小化された構成で光源からの光の光路を切り替えることができる。
【図面の簡単な説明】
【００１３】
【図１】本発明の実施の形態に係るプロジェクタ装置の概略構成を示す図である。
【図２】ミラーおよびミラー保持部材が保持される第１の位置を説明するための説明図である。
【図３】ミラーおよびミラー保持部材が保持される第２の位置を説明するための説明図である。
【図４】本発明の実施の形態に係る切り替え機構を示す斜視図である。
【図５】図４の切り替え機構における、ミラー、ミラー保持部材および回転軸を示す斜視図である。
【図６】図５における、ミラーおよびミラー保持部材の回転中心を説明するための説明図である。
【図７】図４の切り替え機構における、ミラー、ミラー保持部材および回転軸の回転軸側から視た図である。
【図８】図４の切り替え機構における、ミラーおよびミラー保持部材が回転するために必要な空間の大きさを説明するための説明図である。
【図９】従来の切り替え機構における、ミラーおよびミラー保持部材が回転するために必要な空間の大きさを説明するための説明図である。
【発明を実施するための形態】
【００１４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１５】
なお、説明は以下の順序で行うものとする。
１．プロジェクタ装置
２．切り替え機構
【００１６】
［１．プロジェクタ装置］
まず、本発明の実施の形態に係るプロジェクタ装置について説明する。図１は、本発明の実施の形態に係るプロジェクタ装置の構成を概略的に示す図である。
【００１７】
図１において、プロジェクタ装置１００は、後述する第１のランプ１０２または第２のランプ１０４から出射された光を、例えば後述する透過型の液晶パネル１２６，１３６，１５２によって光変調して画像光を形成し、この画像光を図示しない外部のスクリーン等に投射する液晶プロジェクタ装置である。プロジェクタ装置１００は、光を出射する第１のランプ１０２および第２のランプ１０４とを備える。
【００１８】
第１のランプ１０２および第２のランプ１０４は、フルカラー画像を投射するために必要とされる、光の３原色である赤色、緑色および青色の光を含む白色光を出射することができる。
【００１９】
また、プロジェクタ装置１００は、第２のランプ１０４から出射された光の光路順に、光を反射する第１の反射ミラー１０６と、光を反射するミラー２０２を備える後述する図４の切り替え機構２００と、光を反射する第２の反射ミラー１０８と、複数のレンズセルが例えば正方配列されている第１のマルチレンズアレイ１１０および第２のマルチレンズアレイ１１２と、第２のマルチレンズアレイ１１２からの光を所定の偏光方向に偏光させるためのＰＳ合成樹脂１１４と、ＰＳ合成樹脂１１４を通過した光を集光する第１のレンズ１１６と、光を波長帯域に応じて分離する第１のダイクロイックミラー１１８とを備える。
【００２０】
後述する図４の切り替え機構２００は、ミラー２０２と、ミラー２０２を保持するミラー保持部材２０４とを備える。そして、図２に示すように、第１のランプ１０２から光が出射されるときは、切り替え機構２００は、ミラー２０２およびミラー保持部材２０４を、第１のランプ１０２から出射された光の光束を遮断することのない第１の位置に保持する。また、図３に示すように、第１のランプ１０２の故障等により、第２のランプ１０４から光が出射されるときは、切り替え機構２００は、後述する回転軸２１６，２１８に回転駆動力を伝達させることにより、ミラー２０２およびミラー保持部材２０４を、上記第１の位置から略４５度回転させて、第１の反射ミラー１０６が反射した光を第２の反射ミラーに向けて反射可能な第２の位置に保持する。これにより、第２のランプ１０４から出射された光は第１のランプ１０２から出射された光と同一の光路を辿るようになる。なお、第２のランプ１０４の故障等により、第２のランプ１０４から光が出射された後に、第１のランプから光が出射されるときは、切り替え機構２００は、後述する回転軸２１６，２１８に回転駆動力を伝達させることにより、ミラー２０２およびミラー保持部材２０４を、上記第２の位置から略４５度回転させて、上記第１の位置に保持する。
【００２１】
第１のマルチレンズアレイ１１０は、第２のマルチレンズアレイ１１２と共に後述する液晶パネル１２６，１３６，１５２の有効面積内を均一に照明するために、光を液晶パネル１２６，１３６，１５２の有効面積の形状の光束とし、照度分布を均一化する。第１のマルチレンズアレイ１１０は、複数の小さなレンズ素子をアレイ状に設けた構造であり、第２の反射ミラー１０８により反射された光を各レンズ素子により光を集光して小さな点光源を作り出し、他方の第２のマルチレンズアレイ１１２によりそれぞれの点光源からの照明光を合成する。
【００２２】
第１のレンズ１１６は、ＰＳ合成樹脂１１４により所定の偏光方向に制御された光を液晶パネル１２６，１３６，１５２の有効開口領域に効率よく照射されるようにスポット径を調整する。
【００２３】
第１のダイクロイックミラー１１８は、ガラス基板等の主面上に、誘電体膜を多層形成した、いわゆるダイクロイックコートが施された波長選択性のミラーである。第１のダイクロイックミラーは、透過させる青色光と、反射させるその他の色光、すなわち緑色光および赤色光とに分離する。
【００２４】
すなわち、第１のダイクロイックミラー１１８は、第１のレンズ１１６から入射する光のうち青色光を透過させ、緑色光および赤色光を略垂直方向に反射して９０°向きを変化させるように、第１のレンズ１１６から入射する光の光路に対して垂直方向に４５°傾けて配設されている。
【００２５】
また、プロジェクタ装置１００は、第１のダイクロイックミラー１１８によって分離された青色光の光路順に、光を反射する第３の反射ミラー１２０と、光を集光する第２のレンズ１２２と、光を所定の偏光方向の成分のみ透過させる第１の入射側偏光板１２４と、光を空間的に変調する第１の液晶パネル１２６と、光を所定の偏光方向の成分のみ透過させる第１の出射側偏光板１２８とを備える。
【００２６】
第３の反射ミラー１２０は、第１のダイクロイックミラー１１８を透過した光を垂直方向に反射して９０°向きを変えさせる反射ミラーであり、かかる反射された青色光の光路に対して垂直方向に４５°傾けて配設されている。これにより、第３の反射ミラー１２０は、この青色光を、第２のレンズ１２２に向けて反射する。
【００２７】
第２のレンズ１２２は、第１のレンズ１１６と共に照明光学系を形成する集光レンズであり、第３の反射ミラー１２０により反射された青色光を第１の入射側偏光板１２４側に出力すると共に第１の液晶パネル１２６に集光する。
【００２８】
第１の入射側偏光板１２４は、第２のレンズ１２２から出力された青色光を所定の偏光方向の成分のみ透過するようにされた偏光板である。第１の入射側偏光板１２４は、第１の液晶パネル１２６の入射側の基板表面における液晶分子の配向方向と透過軸が４５°をなすように配設されている。
【００２９】
第１の液晶パネル１２６は、垂直配向型の液晶分子を用いた透過型のパネルであり、図示しない２つの透明基板の間に垂直配向型の液晶分子が封入されている。このような第１の液晶パネル１２６は、青色の映像情報に対応して入力される映像信号に応じて、液晶分子の状態を変化させて、第１の入射側偏光板１２４を介して入射した青色光を空間的に変調して透過する。第１の液晶パネル１２６は、投射する映像が垂直方向よりも水平方向が長尺とされた略長方形状とされているため、これに対応して入射面が略長方形状とされている。
【００３０】
第１の出射側偏光板１２８は、第１の液晶パネル１２６により変調された青色光を、第１の入射側偏光板１２４と直交する偏光方向の成分のみ透過させる。第１の出射側偏光板１２８は、第１の液晶パネル１２６の出射側の基板表面における液晶分子の配向方向と透過軸が４５°をなすように配設されている。つまり、第１の出射側偏光板１２８は、第１の入射側偏光板１２４に対して光の透過軸が互いに直交した、いわゆる直交ニコルの関係となるように配設されている。
【００３１】
また、プロジェクタ装置１００は、第１のダイクロイックミラー１１８によって分離された他の色光、すなわち緑色光及び赤色光の光路に沿って、入射光を波長帯域に応じて分離する第２のダイクロイックミラー１３０を備える。
【００３２】
第２のダイクロイックミラー１３０は、入射した光を緑色光と、その他の色光、すなわち赤色光とに分離する。第２のダイクロイックミラー１３０は、第１のダイクロイックミラー１１８から入射する光のうち赤色光を透過させ、緑色光を略垂直方向に反射して９０°向きを変化させるように、第１のダイクロイックミラー１１８から入射する光の光路に対して垂直方向に４５°傾けて配設されている。
【００３３】
また、プロジェクタ装置１００は、第２のダイクロイックミラー１３０によって分離された緑色光の光路順に、光を集光する第３のレンズ１３２と、光を所定の偏光方向の成分のみ透過させる第２の入射側偏光板１３４と、光を空間的に変調する第２の液晶パネル１３６と、光を所定の偏光方向の成分のみ透過させる第２の出射側偏光板１３８とを備える。
【００３４】
第３のレンズ１３２は、第１のレンズ１１６と共に照明光学系を形成する集光レンズであり、第２のダイクロイックミラー１３０により反射された緑色光を第２の入射側偏光板１３４側に出力すると共に第２の液晶パネル１３６に集光する。
【００３５】
第２の入射側偏光板１３４は、第３のレンズ１３２から出力された緑色光を所定の偏光方向の成分のみ透過するようにされた偏光板である。第２の入射側偏光板１３４は、第２の液晶パネル１３６の入射側の基板表面における液晶分子の配向方向と透過軸が４５°をなすように配設されている。
【００３６】
第２の液晶パネル１３６は、垂直配向型の液晶分子を用いた透過型のパネルであり、図示しない２つの透明基板の間にかかる垂直配向型の液晶分子が封入されている。このような第２の液晶パネル１３６は、緑色の映像情報に対応して入力される映像信号に応じて、液晶分子の状態を変化させて、第２の入射側偏光板１３４を介して入射した緑色光を空間的に変調して透過する。第２の液晶パネル１３６は、投射する映像が略長方形状とされているため、これに対応して入射面が略長方形状とされている。
【００３７】
第２の出射側偏光板１３８は、第２の液晶パネル１３６により変調された緑色光を、第２の入射側偏光板１３４と直交する偏光方向の成分のみ透過させる。第２の出射側偏光板１３８は、第２の液晶パネル１３６の出射側の基板表面における液晶分子の配向方向と透過軸が４５°をなすように配設され、さらに第２の出射側偏光板１３８は、第２の入射側偏光板１３４に対して光の透過軸が互いに直交した、いわゆる直交ニコルの関係となるように配設されている。
【００３８】
また、プロジェクタ装置１００は、第２のダイクロイックミラー１３０によって分離された赤色光の光路順に、光路長を調整する第４のレンズ１４０と、光を反射する第４の反射ミラー１４２と、光路長を補正する第５のレンズ１４４と、光を反射する第５の反射ミラー１４６と、光を集光する第６のレンズ１４８と、入射光を所定の偏光方向の成分のみ透過させる第３の入射側偏光板１５０と、入射光を空間的に変調する第３の液晶パネル１５２と、入射光を所定の偏光方向の成分のみ透過させる第３の出射側偏光板１５４とを備える。
【００３９】
第４のレンズ１４０は、第５のレンズ１４４と共に光路長を調整するためのレンズであり、第２のダイクロイックミラー１３０によって分離された赤色光を、第４の反射ミラー１４２へ導く。
【００４０】
第４の反射ミラー１４２は、第４のレンズ１４０からの光を垂直方向に反射して９０°向きを変えさせる反射ミラーであり、第４のレンズ１４０からの赤色光の光路に対して垂直方向に４５°傾けて配設されている。これにより、第４の反射ミラー１４２は、第４のレンズ１４０からの赤色光を、第５のレンズ１４４に向けて反射する。
【００４１】
第５のレンズ１４４は、第４のレンズ１４０と共に光路長を調整するためのレンズであり、第４の反射ミラー１４２によって反射された赤色光を、第５の反射ミラー１４６へ導く。
【００４２】
なお、第４のレンズ１４０及び第５のレンズ１４４は、赤色光の第３の液晶パネル１５２までの光路が、青色光の第１の液晶パネル１２６までの光路や緑色光の第２の液晶パネル１３６まで光路と比して長いため、これを補正して、第３の液晶パネル１５２に焦点が合うように適切に赤色光を導く。
【００４３】
第５の反射ミラー１４６は、第５のレンズ１４４からの光を垂直方向に反射して９０°向きを変えさせる反射ミラーであり、第５のレンズ１４４からの赤色光の光路に対して垂直方向に４５°傾けて配設されている。これにより、第５の反射ミラー１４６は、第５のレンズ１４４からの赤色光を、第６のレンズ１４８に向けて反射する。
【００４４】
第６のレンズ１４８は、第１のレンズ１１６と共に照明光学系を形成する集光レンズであり、第５の反射ミラー１４６により反射された赤色光を第３の入射側偏光板１５０側に出力すると共に第３の液晶パネル１５２に集光する。
【００４５】
第３の入射側偏光板１５０は、第６のレンズ１４８から出力された赤色光を所定の偏光方向の成分のみ透過するようにされた偏光板である。第３の入射側偏光板１５０は、第３の液晶パネル１５２の入射側の基板表面における液晶分子の配向方向と透過軸が４５°をなすように配設されている。
【００４６】
第３の液晶パネル１５２は、垂直配向型の液晶分子を用いた透過型のパネルであり、図示しない２つの透明基板の間に垂直配向型の液晶分子が封入されている。このような第３の液晶パネル１５２は、赤色の映像情報に対応して入力される映像信号に応じて、液晶分子の状態を変化させて、第３の入射側偏光板１５０を介して入射した赤色光を空間的に変調して透過する。第３の液晶パネル１５２は、投射する映像が略長方形状とされているため、これに対応して入射面が略長方形状とされている。
【００４７】
第３の出射側偏光板１５４は、第３の液晶パネル１５２により変調された赤色光を、第３の入射側偏光板１５０と直交する偏光方向の成分のみ透過させる。第３の出射側偏光板１５４は、第３の液晶パネル１５２の出射側の基板表面における液晶分子の配向方向と透過軸が４５°をなすように配設されている。つまり、第３の出射側偏光板１５４は、第３の入射側偏光板１５０に対して光の透過軸が互いに直交した、いわゆる直交ニコルの関係となるように配設されている。
【００４８】
また、プロジェクタ装置１００は、第１の液晶パネル１２６、第２の液晶パネル１３６及び第３の液晶パネル１５２によりそれぞれ空間的に変調されて出射側偏光板１２８，１３８，１５４を透過した青色光、緑色光および赤色光の光路が交わる位置に、これら青色光、緑色光および赤色光を合成する合成プリズム１５６を備え、さらに、合成プリズム１５６により合成された合成光を、外部のスクリーン等に向けて投射するための投射レンズ１５８を備える。
【００４９】
合成プリズム１５６は、第１の液晶パネル１２６から出射され第１の出射側偏光板１２８を透過した青色光が入射され、第２の液晶パネル１３６から出射され第２の出射側偏光板１３８を透過した緑色光が入射され、さらに第３の液晶パネル１５２から出射され第３の出射側偏光板１５４を透過した赤色光が入射するようになっている。合成プリズム１５６は、入射された青色光、緑色光および赤色光を合成して投影レンズ１５８に向けて出射する。
【００５０】
投射レンズ１５８は、合成プリズム１５６から出射された合成光を外部のスクリーン等に拡大して投射する。
【００５１】
［２．切り替え機構］
次に、本発明の実施の形態に係る切り替え機構２００について説明する。図４は、本発明の実施の形態に係る切り替え機構２００を示す斜視図である。図５は、図４の切り替え機構２００における、ミラー２０２、ミラー保持部材２０４および回転軸を示す斜視図である。図６は、図５における、ミラー２０２およびミラー保持部材２０４の回転中心を説明するための説明図である。図７は、図４の切り替え機構２００における、ミラー２０２、ミラー保持部材２０４および回転軸の回転軸側から視た図である。なお、図４は、図１における第１の反射ミラー１０６側から視た斜視図であり、切り替え機構２００が、ミラー２０２およびミラー保持部材２０４を、上記第２の位置に保持した状態を示している。
【００５２】
図４において、切り替え機構２００は、略矩形の平板形状を呈するミラー２０２と、ミラー２０２の外周を一部を除いて囲うように配される枠やミラー２０２を固定するためのスプリングなどで構成されたミラー保持部材２０４とを備える。なお、本実施の形態では、ミラー保持部材２０４の枠がミラー２０２の外周を一部を除いて囲うように配されているが、ミラー保持部材２０４の枠はミラー２０２の外周の全てを囲うように配されていてもよい。また、図５に示すように、ミラー保持部材２０４の長手方向における一端２０４ａの図中左側部および右側部には、回転軸２１６，２１８が設けられている。図６に示すように、回転軸２１６，２１８は、それらの回転中心がミラー２０２の表面における長手方向の一端２２０と等しくなるように、図５に示すように、ミラー保持部材２０４の長手方向における一端２０４ａの図中左側部および右側部に設けられる。さらに詳細には、図６に示すように、回転中心はミラー２０２の表面における長手方向の一端２２０の角に設ける。また、図５に示すように、ミラー保持部材２０４の長手方向における一端２０４ａは、ミラー２０２の表面における回転軸２１６，２１８の回転中心と等しくなる側である長手方向の一端２２０を露出させるように形成されている。詳細には、図７に示すように、回転中心側である一端側からは、ミラー２０２の一端側の厚み面がそのまま見える形状になっている。なお、本実施の形態では、図７に示すように、ミラー保持部材２０４の長手方向における一端２０４ａは、ミラー２０２の一端側の厚み面がそのまま見える形状になっているのが好ましいが、その形状は、ミラー２０２の表面の全面において光を反射可能とする形状であればどのような形状であってもよい。
【００５３】
また、切り替え機構２００は、回転駆動力を発生させるための駆動モータ２０６と、駆動モータ２０６からの回転駆動力を上記回転軸２１６，２１８に伝達させるための、ギヤなどで構成された駆動伝達機構２０８とを備える。また、切り替え機構２００は、駆動モータ２０６や駆動伝達機構２０８などを保持する保持部材２１０と、駆動モータ２０６を動作させるための駆動基板２１２とを備える。また、切り替え機構２００は、ミラー２０２およびミラー保持部材２０４が上記第１の位置に保持されているか否かを検出するための第１の位置検出センサ（図示しない）と、ミラー２０２およびミラー保持部材２０４が上記第２の位置に保持されているか否かを検出するための第２の位置検出センサ２１４とを備える。
【００５４】
図４の切り替え機構２００では、第１のランプ１０２から光が出射されるときは、回転軸２１６，２１８に駆動モータ２０６からの回転駆動力を伝達させることにより、ミラー２０２およびミラー保持部材２０４を、上方から見て時計回りに上記第２の位置から略４５度回転させて、上記第１の位置に保持する。また、第２のランプ１０４から光が出射されるときは、切り替え機構２００は、ミラー２０２およびミラー保持部材２０４を、上記第２の位置に保持する。
【００５５】
本実施の形態によれば、回転軸２１６，２１８は、その回転中心がミラー２０２の表面における長手方向の一端２２０と等しくなるように、ミラー保持部材２０４の長手方向における一端２０４ａに設けられる。この場合、図８に示すように、ミラー２０２およびミラー保持部材２０４が回転するために必要な空間が最小となるため、切り替え機構２００の構成を最小化することができる。したがって、切り替え機構２００が最小化された構成で第２のランプ１０４からの光の光路を切り替えることが可能となる。
【００５６】
また、本実施の形態によれば、ミラー保持部材２０４の長手方向における一端２０４ａは、ミラー２０２の表面における回転軸２１６，２１８の回転中心と等しくなる側である長手方向の一端２２０を露出させるように形成される。この場合、第２のランプ１０４からの光を反射するために必要なミラー２０２のサイズを最小化することができ、もって、切り替え機構２００の構成をさらに最小化することができる。
【００５７】
また、本実施の形態によれば、切り替え機構２００の構成を最小化することができるため、プロジェクタ装置１００の構成を最小化することができる。
【００５８】
以上、添付図面を参照しながら本発明の好適な実施の形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００５９】
例えば、上述した切り替え機構２００は、プロジェクタ装置１００に適用されたが、光源からの光の光路の切り替えが必要な装置であれば、どのような装置であっても適用可能である。
【符号の説明】
【００６０】
１００    プロジェクタ装置
１０２    第１のランプ
１０４    第２のランプ
２００    切り替え機構
２０２    ミラー
２０４    ミラー保持部材
２０６    駆動モータ
２０８    駆動伝達機構
２１０    保持部材
２１２    駆動基板
２１４    第２の位置検出センサ
２１６，２１８    回転軸
【図１】
2011154328.tif 000003
【図２】
2011154328.tif 000004
【図３】
2011154328.tif 000005
【図４】
2011154328.tif 000006
【図５】
2011154328.tif 000007
【図６】
2011154328.tif 000008
【図７】
2011154328.tif 000009
【図８】
2011154328.tif 000010
【図９】
2011154328.tif 000011